(57)【特許請求の範囲】
【請求項１】
釣竿に釣糸を清掃するための清掃用織物が掛かった状態で前記清掃用織物の外側に設けられる釣糸清掃具において、
第１結合部及び前記第１結合部から延びた第１清掃部を含む第１本体及び前記第１結合部に回動可能に連結された第２結合部及び前記第２結合部から延びた第２清掃部を含む第２本体を含み、
前記第１結合部及び前記第２結合部は、前記釣竿及び前記釣竿を取り囲んだ前記清掃用織物の据付部分を収容するようにそれぞれ曲がった形状を有し、
前記第１結合部及び前記第２結合部は、前記第１清掃部及び前記第２清掃部が互いに密着した状態で、前記第１結合部及び前記第２結合部の内側面と前記据付部分の外側面との間に所定の間隙が形成されるようにする形状を有し、
前記釣糸が前記第１清掃部と前記第２清掃部の間に位置した状態で、前記第１本体及び前記第２本体は、前記釣糸が前記釣竿を中心とする回動移動により前記釣竿に対して回動可能に構成され、
前記第１清掃部は、前記第１清掃部の長さ方向に沿って形成され、前記第２清掃部に向かって突出した凸状を有し、
前記第２清掃部は、前記第２清掃部の長さ方向に沿って形成され、前記第１清掃部の前記凸状に相補的な凹状を有する、
釣糸清掃具。
【請求項２】
前記第１結合部は、前記据付部分の第１地点と接触し、
前記第２結合部は、前記第１地点の反対側である前記据付部分の第２地点と接触し、前記第１結合部及び前記第２結合部が前記据付部分と前記第１地点及び前記第２地点でのみ接触するように形成された、請求項１に記載の釣糸清掃具。
【請求項３】
前記第１結合部は、一側に突出した第１ピーク部位を中心に両側に傾斜した２つの傾斜部分を含み、
前記第２結合部は、他側に突出した第２ピーク部位を中心に両側に傾斜した２つの傾斜部分を含む、請求項１又は請求項２に記載の釣糸清掃具。
【請求項４】
前記第１清掃部は、前記第１清掃部の内側面から突出した少なくとも１つの第１突起を有し、
前記第２清掃部は、前記第２清掃部の内側面から突出した少なくとも１つの第２突起を有し、
前記第１清掃部及び前記第２清掃部の断面方向で、前記第１突起及び前記第２突起は、前記第１清掃部及び前記第２清掃部の幅方向に沿って互いに交互に配置される請求項１又は請求項２に記載の釣糸清掃具。
【請求項５】
前記第１清掃部の先端には、外側に突出したロッキング突起が形成され、
前記第２清掃部は、前記第２清掃部の先端から前記第１清掃部に向かって延び、前記ロッキング突起が貫通する開口が形成されたロッキング部を含み、
前記ロッキング部の先端には、外側に突出したハンドル部が形成された、請求項１又は請求項２に記載の釣糸清掃具。
【請求項６】
前記釣竿の長さ方向に沿った前記第１結合部及び前記第２結合部のそれぞれの幅は、前記清掃用織物の幅より小さくなるように形成された、請求項１又は請求項２に記載の釣糸清掃具。
【発明の詳細な説明】
【技術分野】
【０００１】
本開示は、釣竿に掛けて使用する釣糸清掃具に関するものであり、釣糸の付着物を除去および／または清掃を行うための装置である。
【背景技術】
【０００２】
海、湖、又は沼の水中や水面には、藻類や泥など、多くの障害物があり、釣糸は、それらの中を通過するようになるので、このような障害物は、釣糸表面に付着して付着物となる。このような付着物は釣糸を汚染させるようになり、劣化の原因となる。また、付着物はリールを汚染し易く、リールの腐食要因となりリールの回転性等の機能性を低下させ、衛生面でも悪影響をもたらし、様々な面で問題を生じさせ易い。釣糸の付着物を清掃する用具としては、これまでもいくつかの形態が考案されている。
【０００３】
具体的な一例として、日本実用新案登録第３２１７８２３号には、一対の挟持片と該一対の挟持片を閉塞するように付勢するばね手段を有し、第１挟持部及び付勢力に抗し第１挟持部の開口に伴って挟持力を生ずる第２挟持部を備え、これらのいずれか一方がロッド挟持部となり、いずれか他方が釣糸挟持部となる清掃具が開示されている。
【先行技術文献】
【特許文献】
【０００４】
【特許文献１】日本実用新案登録第３２１７８２３号
【発明の概要】
【発明が解決しようとする課題】
【０００５】
従来の釣糸清掃具で、釣糸を清掃する部位である清掃部は、専用に取り付けた海綿状多孔質板、クロロプレンゴム、もしくは耐水性フェルト材からなり、このような清掃部が汚れれば、交換することなく汚れを拭き取るか、洗浄をするといった、釣り人へ清掃部のメンテナンスを課していた。また、該清掃具の挟持部は、釣竿に対して動かないように確実に固定されるため、釣竿を傷付ける上、釣竿の軸方向に対する固定位置を釣り人がリールを取り付ける方向と同一方向に定める煩わしさがあった。
【０００６】
従来の釣糸清掃具は、挟持部と釣糸清掃部は別構成からなり、このような清掃具をコンパクトにしたいがために、釣糸清掃部の範囲が狭く、釣竿に装着された様々な釣糸ガイドの高さやリールの高さに対応できなかった。また、釣竿やリールによっては、釣糸が釣糸清掃部から外れたり、清掃具の意図せぬ部位に釣糸が接触し、釣糸を傷付ける恐れがあった。
【０００７】
従来の釣糸清掃具は、部品構成が多く、コストが高くなる欠点があり、釣り人からは、釣果とは直接的な関係がない釣糸清掃具を出来るだけ安く購入したい要望がありながら、その要請に応えることが難しかった。
【０００８】
本開示は、上述した従来の問題に着眼してなされたものであり、釣糸清掃具の交換の利便性を向上させながら、釣糸の清潔を常に保たれるようにする。また、釣竿を傷付けることなく様々な釣竿に対応ができ、取付操作性に優れ、釣糸を確実に清掃でき、挟体は開閉可能に連結するだけの単純な構造であるので、コストが抑えられた釣糸清掃具を提供することを目的とする。
【課題を解決するための手段】
【０００９】
本開示の一実施例による、釣竿に釣糸を清掃するための清掃用織物が掛かった状態で清掃用織物の外側に設けられる釣糸清掃具において、第１結合部及び第１結合部から延びた第１清掃部を含む第１本体及び第１結合部に回動可能に連結された第２結合部及び第２結合部から延びた第２清掃部を含む第２本体を含み、第１結合部及び第２結合部は、釣竿及び釣竿を取り囲んだ清掃用織物の据付部分を収容するようにそれぞれ曲がった形状を有し、第１結合部及び第２結合部は、第１清掃部及び第２清掃部が互いに密着した状態で、第１結合部及び第２結合部の内側面と据付部分の外側面との間に所定の間隙が形成されるようにする形状を有し、釣糸が第１清掃部と第２清掃部との間に位置した状態で、第１本体及び第２本体は、釣糸が釣竿を中心とする回動移動により釣竿に対して回動可能に構成され得る。
【００１０】
一実施例によると、第１結合部は、据付部分の第１地点と接触し、第２結合部は、第１地点の反対側である据付部分の第２地点と接触し、第１結合部及び第２結合部が据付部分と第１及び第２地点でのみ接触するように形成され得る。
【００１１】
一実施例によると、第１結合部は、一側に突出した第１ピーク部位を中心に両側に傾斜した２つの傾斜部分を含み、第２結合部は、他側に突出した第２ピーク部位を中心に両側に傾斜した２つの傾斜部分とを含み得る。
【００１２】
一実施例によると、第１清掃部は、第１清掃部の内側面から突出した少なくとも１つの第１突起を有し、第２清掃部は、第２清掃部の内側面から突出した少なくとも１つの第２突起を有し、第１清掃部及び第２清掃部の断面方向で、第１突起及び第２突起は、第１清掃部及び第２清掃部の幅方向に沿って互いに交互に配置され得る。
【００１３】
一実施例によると、第１清掃部は、第１清掃部の長さ方向に沿って形成され、第２清掃部に向かって突出した凸状を有し、第２清掃部は、第２清掃部の長さ方向に沿って形成され、第１清掃部の凸状に相補的な凹状を有することができる。
【００１４】
一実施例によると、第１清掃部の先端には、外側に突出したロッキング突起が形成され、第２清掃部は、第２清掃部の先端から第１清掃部に向かって延び、ロッキング突起が貫通する開口が形成されたロッキング部を含み、ロッキング部の先端には、外側に突出したハンドル部が形成され得る。
【００１５】
一実施例によると、釣竿の長さ方向に沿った第１結合部及び第２結合部のそれぞれの幅は、清掃用織物の幅よりも小さくなるように形成され得る。
【発明の効果】
【００１６】
本開示の一実施例によると、釣糸清掃具の交換の利便性を向上させながら、釣糸の清潔を常に保たれるようにする。
【００１７】
本開示の一実施例によると、釣竿を傷付けることなく様々な釣竿に対応ができ、取付操作性に優れるため、釣糸を確実に清掃できる。
【００１８】
本開示の一実施例によると、釣糸清掃具の結合部は、開閉可能に連結するだけの単純な構造であるので、コストが抑えられた釣糸清掃具を提供することができる。
【００１９】
本開示の一実施例によると、釣糸清掃具の結合部と釣竿との間に所定の間隙が形成されるので、釣糸が上側又は下側に回転するとき、釣糸清掃具が釣竿に傷を付けることなく釣竿に対して回転でき、取付操作性が良好になる。
【００２０】
本開示の一実施例によると、清掃用織物の幅を釣糸清掃具の結合部の幅より広く折り畳んだ状態で清掃用織物を結合部と釣竿との間に配置することによって、釣糸清掃具が釣糸ガイドと直接ぶつかるのを防止できる。
【図面の簡単な説明】
【００２１】
【図１】スピニングリールが設けられた釣竿に本開示の一実施例による釣糸清掃具と清掃用織物が結合した構成を示した側面図である。
【図２】両軸リールが設けられた釣竿に本開示の一実施例による釣糸清掃具と清掃用織物が結合した構成を示した側面図である。
【図３】本開示の一実施例による釣糸清掃具と清掃用織物が釣竿に結合した構成を示した正面図である。
【図４】本開示の一実施例による釣糸清掃具の折り畳んだ状態を示した斜視図である。
【図５】本開示の一実施例による釣糸清掃具の開かれた状態を示した斜視図である。
【図６ａ】図４に示された釣糸清掃具の分解された様子を示した分解斜視図である。
【図６ｂ】図４に示された釣糸清掃具の分解された様子を下方から示した分解斜視図である。
【図７ａ】本開示の一実施例よる釣糸清掃具を様々な側面から示した図面である。
【図７ｂ】本開示の一実施例よる釣糸清掃具を様々な側面から示した図面である。
【図７ｃ】本開示の一実施例よる釣糸清掃具を様々な側面から示した図面である。
【図７ｄ】本開示の一実施例よる釣糸清掃具を様々な側面から示した図面である。
【図７ｅ】本開示の一実施例よる釣糸清掃具を様々な側面から示した図面である。
【図８】本開示の一実施例よる釣糸清掃具の開閉操作を説明するための断面図である。
【図９】本開示の一実施例による釣糸清掃具の清掃部を説明するための図面である。
【図１０ａ】本開示の一実施例による釣糸清掃具と清掃用織物を釣竿に結合する過程を説明するための図面である。
【図１０ｂ】本開示の一実施例による釣糸清掃具と清掃用織物を釣竿に結合する過程を説明するための図面である。
【図１０ｃ】本開示の一実施例による釣糸清掃具と清掃用織物を釣竿に結合する過程を説明するための図面である。
【図１０ｄ】本開示の一実施例による釣糸清掃具と清掃用織物を釣竿に結合する過程を説明するための図面である。
【図１１】本開示の一実施例による釣糸清掃具が釣竿に対して回転する過程を説明するための図面である。
【図１２ａ】本開示の一実施例による釣糸清掃具の幅と清掃用織物の幅を比較して説明するための図面である。
【図１２ｂ】図１２ａでＩＩＩ−ＩＩＩ線に沿って釣竿と釣糸を切断して、構成を示した図面である。
【図１２ｃ】図１２ａでＩＶ−ＩＶ線に沿って切断した構成を示した断面図である。
【図１３ａ】本開示の一実施例による釣糸清掃具の付着物除去性能を確認する実験に関する写真である。
【図１３ｂ】本開示の一実施例による釣糸清掃具の付着物除去性能を確認する実験に関する写真である。
【図１３ｃ】本開示の一実施例による釣糸清掃具の付着物除去性能を確認する実験に関する写真である。
【図１３ｄ】本開示の一実施例による釣糸清掃具の付着物除去性能を確認する実験に関する写真である。
【図１４】本開示の一実施例による釣糸清掃具の結合部の他の形状を説明するための図面である。
【図１５】本開示の一実施例による釣糸清掃具の結合部の他の形状を説明するための図面である。
【発明を実施するための形態】
【００２２】
本開示の実施例は、本開示の技術的思想を説明する目的で例示されたものである。本開示による権利範囲が以下に提示される実施例やこれら実施例に関する具体的説明に限定されるわけではない。
【００２３】
本開示に用いられる全ての技術的用語及び科学的用語は、特に定義されない限り、本開示が属する技術分野で通常の知識を有する者に一般に理解される意味を有する。本開示に用いられる全ての用語は、本開示をさらに明確に説明する目的で選択されたものであり、本開示による権利範囲を制限するために選択されたものではない。
【００２４】
本開示で用いられる「含む」、「備える」、「有する」などのような表現は、当該表現が含まれる語句又は文章で特に言及されない限り、他の実施例を含む可能性を内包する開放型用語（ｏｐｅｎ−ｅｎｄｅｄ  ｔｅｒｍｓ）と理解されなければならない。
【００２５】
本開示で記述された単数形の表現は、特に言及しない限り複数形の意味を含み得、これは、請求の範囲に記載された単数形の表現にも同様に適用される。
【００２６】
本開示で用いられる「第１」、「第２」などの表現は、複数の構成要素を相互区分するために用いられ、当該構成要素の順序又は重要度を限定するわけではない。
【００２７】
本開示で、ある構成要素が他の構成要素に「連結されて」いるとか、「接続されて」いると言及された場合、上記のある構成要素が上記の他の構成要素に直接的に連結され得るか接続され得るものと、又は新たな他の構成要素を介して連結され得るか接続され得るものと理解されるべきである。
【００２８】
本開示で記載される寸法と数値は、記載された寸法と数値のみに限定されるわけではない。特に特定されない限り、このような寸法と数値は、記載された値及びこれを含む同等の範囲を意味するものと理解できる。例えば、本開示に記載された「１０ｍｍ」という寸法は、「約１０ｍｍ」を含むものと理解され得る。
【００２９】
本開示で用いられる「上方」、「上」などの方向指示語は、添付された図面で結合部が清掃部に対して位置する方向を基準とし、「下方」、「下」などの方向指示語は、その反対方向を意味する。添付された図面に示す清掃部は、異なって配向されることもあり、上記方向指示語は、それに合わせて解釈され得る。
【００３０】
以下、添付した図面を参照し、本開示の実施例を説明する。添付された図面で、同一又は対応する構成要素には、同一の参照符号が付与されている。また、以下の実施例の説明において、同一又は対応する構成要素を重複して記述することが省略され得る。しかし、構成要素に関する技術が省略されても、そのような構成要素がいかなる実施例にも含まれないものとは意図されない。
【００３１】
図１は、スピニングリール（６０）が設けられた釣竿（２０）に本開示の一実施例による釣糸清掃具（１０）と清掃用織物（３０）が結合した構成を示した側面図である。図２は、両軸リール（７０）が設けられた釣竿（２０）に本開示の一実施例による釣糸清掃具（１０）と清掃用織物（３０）が結合した構成を示した側面図である。図３は、本開示の一実施例による釣糸清掃具（１０）と清掃用織物が釣竿に結合した構成を示した正面図である。
【００３２】
図１及び２を参照すると、釣糸（４０）は、釣り後に清掃せず、矢印方向（即ち、バット（Ｂ）方向）へ向かい、リール（６０、７０）に回収されれば、釣糸（４０）に付着した付着物により釣糸（４０）の劣化をもたらすことがあり、リール（６０、７０）が腐食する場合も発生し得る。従って、釣り人は、釣り場で釣りを終えた後に最後に整理する最後の過程で釣糸（４０）を回収するようになるが、このような釣糸（４０）の回収の際に釣糸（４０）を清潔な状態でリール（６０、７０）に回収する必要がある。
【００３３】
本開示の一実施例による釣糸清掃具（１０）は、釣竿（２０）に釣糸清掃用織物（３０）が掛かった状態で清掃用織物（３０）の外側に設けられる。また、釣糸清掃具（１０）は、釣竿（２０）の軸方向の周囲に回転可能に釣竿（２０）の外周面と所定の間隙を有するようにして釣竿に掛けておくことができる。従って、釣竿（２０）の下側（Ｌ）に取り付けるスピニングリール（６０）の場合であっても（図１参照）、上側（Ｕ）に取り付ける両軸リール（７０）の場合（図２参照）であっても関係なく、釣糸（４０）をリール（６０、７０）に回収する際の釣糸の張力により自在に釣糸清掃具（１０）がリールが取り付けられた方向に回転され得る。これにより、釣り人へ手動で釣糸清掃具（１０）の取付方向を変更しなければならない煩わしさを感じさせない。
【００３４】
図３を参照すると、本開示の一実施例による釣糸清掃具（１０）は、清掃用織物（３０）が釣竿（２０）を覆うため、釣竿（２０）を傷付けることが発生せず、長さ方向（ＬＤ）で釣糸清掃具（１０）より清掃用織物（３０）の方が広くなるように釣糸清掃具（１０）の幅が設定され得るので、釣糸清掃具（１０）は、釣竿（２０）に装着された釣糸ガイド（５０）を損傷させない。
【００３５】
釣糸清掃具（１０）と共に用いられる清掃用織物（３０）は、一般に市販されているものを用いることができ、清掃用織物（３０）が汚れれば新たな清掃用織物（３０）に交換して清掃用織物（３０）の状態を清潔に保つことができる。清掃用織物（３０）は、一般的な布（ｆａｂｒｉｃ）でよい。また、清掃用織物（３０）は、不織布であってもよく、ウェットティッシュのようなアルコールないし次亜塩素酸ナトリウムなどの水溶液を含めたものであってもよい。
【００３６】
図４は、本開示の一実施例による釣糸清掃具（１０）の折り畳んだ状態を示した斜視図である。図５は、本開示の一実施例による釣糸清掃具（１０）の開かれた状態を示した斜視図である。図６ａは、図４に示された釣糸清掃具（１０）の分解された様子を示した分解斜視図である。図６ｂは、図４に示された釣糸清掃具（１０）の分解された様子を下方から示した分解斜視図である。
【００３７】
図４及び５を参照すると、釣糸清掃具（１０）は、挟体（重なる形状）で構成され得る。釣糸清掃具（１０）は、釣竿（２０）に結合する結合部（１１）と釣糸（４０）を清掃する清掃部（１２）を含み得る。釣糸清掃具（１０）は、回動軸（１１５）を中心に回転する第１本体（１１０）と第２本体（１２０）で構成され得る。従って、図４に示された形状を基準に、第１本体（１１０）の左側部分と第２本体（１２０）の左側部分は、結合部（１１）を構成し、第１本体（１１０）の右側部分と第２本体（１２０）の右側部分は、清掃部（１２）を構成し得る。
【００３８】
第１本体（１１０）は、第１結合部（１１０Ａ）及び第１結合部（１１０Ａ）から延びた第１清掃部（１１０Ｂ）を含む。第２本体（１２０）は、第１結合部（１１０Ａ）に回動可能に連結された第２結合部（１２０Ａ）及び第２結合部（１２０Ａ）から延びた第２清掃部（１２０Ｂ）を含み得る。ここで、第１及び第２結合部（１１０Ａ、１２０Ａ）は結合部（１１）を構成し、第１及び第２清掃部（１１０Ｂ、１２０Ｂ）は清掃部（１２）を構成することができる。一方、第１及び第２結合部（１１０Ａ、１２０Ａ）は、釣竿（２０）及び釣竿（２０）を取り囲んだ清掃用織物（３０）の据付部分（３１）を収容するようにそれぞれ曲がった形状を有する。
【００３９】
図６ａを参照すると、第１結合部（１１０Ａ）の先端には、回動軸（１１５）が形成されたヒンジ部（１１１）が形成され得る。第２結合部（１２０Ａ）の先端には、ヒンジ部（１１１）の両側を取り囲む爪部（１２１）が形成され得る。爪部（１２１）には、回動軸（１１５）が回転可能に挿入される開口（１２５）が形成され得る。
【００４０】
図６ｂを参照すると、第１清掃部（１１０Ｂ）の先端には、外側に突出したロッキング突起（１１８）が形成され得る。また、第２清掃部（１２０Ｂ）は、第２清掃部（１２０Ｂ）の先端から第１清掃部（１１０Ｂ）に向かって延び、ロッキング突起（１１８）が貫通する開口（１２８）が形成されたロッキング部（１２７）を含み得る。また、ロッキング部（１２７）の先端には、外側に突出したハンドル部（１２９）が形成され得る。これと関連した詳細な説明は、後述する。
【００４１】
本開示の一実施例による釣糸清掃具（１０）は、取付性、着脱性、利便性、生産性に優れた挟体であるので、清掃用織物（３０）が据え付けられた釣竿（２０）と釣糸（４０）を全て覆える構造を有し得る。従って、釣竿（２０）を傷付けることなく釣糸（４０）を清掃でき、清掃用織物（３０）は容易に交換できるため、常に清潔が保たれる。また、挟体の構造は、第１及び第２本体（１１０、１２０）が回動軸（１１５）を中心に開閉可能に連結される単純な構造を形成するようになるので、生産コストを抑制できる。
【００４２】
本開示の一実施例による釣糸清掃具（１０）は、釣竿（２０）に装着された釣糸ガイド（５０）が様々な高さを有する点を考慮し、結合部（１１）よりも釣糸（４０）が介在する清掃部（１２）の長さがさらに長く設定され得る。
【００４３】
本開示の一実施例による釣糸清掃具（１０）は、様々な釣竿、リールの組合わせに用いられ、釣竿（２０）の長さ方向（ＬＤ）において任意の釣糸ガイド（５０）の間に取り付けられ、清掃部（１２）に介在した釣糸（４０）が清掃用織物（３０）から離脱しないようにされ得る。
【００４４】
本開示の一実施例による釣糸清掃具（１０）は、取付操作性に鑑みて、軽量とするために、材質はプラスチックが適用され得る。また、回動軸（１１５）のすべり性を考慮すると、汎用のエンジニアリングプラスチックが用いられる。例えば、エンジニアリングプラスチックとしては、ＰＯＭ（ポリアセタール）、ＰＡ（ポリアミド）、ＰＣ（ポリカーボネート）、ＰＢＴ（ポリブチレンテレフタレート）が挙げられる。また、汎用プラスチックとしては、例えば、ＰＥ（ポリエチレン）、ＰＰ（ポリプロピレン）、ＰＳ（ポリスチレン）、ＡＢＳ（アクリロニトリルブタジエンスチレン）が挙げられる。
【００４５】
図７ａ〜７ｅは、本開示の一実施例よる釣糸清掃具（１０）を様々な側面で示した図面である。図７ａは、釣糸清掃具（１０）の側面図であり、図７ｂは、釣糸清掃具（１０）の正面図であり、図７ｃは、釣糸清掃具（１０）の後面図であり、図７ｄは、釣糸清掃具（１０）の上面図であり、図７ｅは、釣糸清掃具（１０）の下面図である。
【００４６】
図７ａを参照すると、釣糸清掃具（１０）は、第１本体（１１０）と第２本体（１２０）で構成され得、これらは回動軸（１１５）を中心に開閉可能に連結され得る。例えば、結合部（１１）は、釣竿に掛かる場合に、略四角状の空間（１３）を形成するように第１本体（１１０）と第２本体（１２０）それぞれの上側部分は、２つの辺を有する凸状を有し得る。また、第１本体（１１０）及び第２本体（１２０）それぞれの下側部分は、回動軸（１１５）から略四角状の空間（１３）に続き、連続して釣糸を挟む範囲の清掃部（１２）を構成することができる。清掃部（１２）の長さは、釣糸（４０）を挟む範囲となり得る。
【００４７】
図７ａを参照すると、第１結合部（１１０Ａ）及び第２結合部（１２０Ａ）は、釣竿（２０）を掛ける略四角状の空間（１３）を形成できる。第１清掃部（１１０Ｂ）及び第２清掃部（１２０Ｂ）が互いに密着した状態で、第１結合部（１１０Ａ）及び第２結合部（１２０Ａ）の内側面と清掃用織物（３０）の据付部分（３１）の外側面間には、所定の間隙が形成され得る。
【００４８】
図７ａを参照すると、第１及び第２結合部（１１０Ａ、１２０Ａ）は、それぞれ２つの辺で構成され得る。例えば、第１結合部（１１０Ａ）は、一側に突出した第１ピーク部位（１１１Ａ）を中心に両側に傾斜した２つの傾斜部分（１１２Ａ、１１３Ａ）を含み、第２結合部（１２０Ａ）は、他側に突出した第２ピーク部位（１２１Ａ）を中心に両側に傾斜した２つの傾斜部分（１２２Ａ、１２３Ａ）を含み得る。
【００４９】
それぞれの傾斜部分（１１２Ａ、１１３Ａ）及びそれぞれの傾斜部分（１２２Ａ、１２３Ａ）の寸法（Ｗ）は、例えば、１０〜１９ｍｍになり得る。このような寸法（Ｗ）は、釣糸清掃具（１０）の結合部（１１）を掛けるところの釣竿（２０）の直径が、例えば、５〜１８ｍｍの場合を考慮したものであり、また、清掃用織物（３０）の厚さに鑑みて、釣糸清掃具（１０）が釣竿（２０）に対して軸方向の周囲に回転できるように、寸法（Ｗ）は、上述した範囲内で選択され得る。
【００５０】
また、寸法（Ｗ）は、上述した１０〜１９ｍｍより小さい５〜１０ｍｍとなり得る。釣り人は、軽装にて釣りをする時に、よりコンパクトな釣糸清掃具（１０）を望むので、他の例によって、釣竿を掛ける略四角状の空間が形成される結合部（１１）の対辺の寸法（Ｗ）が５〜１０ｍｍとなる釣糸清掃具（１０）のサイズに選択され得る。また、清掃部（１２）の長さは、寸法（Ｗ）の大きさに比例するように適切な範囲内で選択され得る。
【００５１】
図８は、本開示の一実施例よる釣糸清掃具（１０）の開閉操作を説明するための断面図であり、図７ｃに示された釣糸清掃具（１０）をＩ−Ｉ線に沿って切断した断面図を示す。図８の左側部分に一点鎖線で表された構成は、釣糸清掃具（１０）が開放された状態での第１本体（１１０）の様子を示し、図８の下側部分に一点鎖線で表された構成は、第２本体（１２０）が第１本体（１１０）と結合する過程で多少曲がる様子を示す。
【００５２】
釣糸清掃具（１０）は、回動軸（１１５）を中心として開閉可能で、第１本体（１１０）は、ロッキング突起（１１８）を有し、第２本体（１２０）には、ロッキング突起（１１８）が貫通する開口（１２８）が形成され得る。第１本体（１１０）が矢印方向（ＡＲ１）に移動してロッキング突起（１１８）が開口（１２８）内に入る際に第２本体（１２０）が矢印方向（ＡＲ２）に曲がるようになり得、ロッキング突起（１１８）が開口（１２８）に入った後には、曲がった状態から元の状態に戻されるので、第１本体（１１０）と第２本体（１２０）は、連結され得る。ロッキング突起（１１８）の連結力を考慮すると、釣り人が他の力を適用して釣糸清掃具（１０）を強制的に開かない限り、釣糸が清掃部（１２）間を過ぎても開放されない。
【００５３】
第１本体（１１０）と第２本体（１２０）の連結を解除させて回動軸（１１５）を中心に開くようにするためには、ロッキング突起（１１８）の下側にある第２本体（１２０）のハンドル部（１２９）を指で押し広げて、第２本体（１２０）のロッキング部（１２７）を撓ませると、釣り人は片手で釣糸清掃具（１０）の開閉操作ができる。
【００５４】
図９は、本開示の一実施例による釣糸清掃具（１０）の清掃部（１２）を説明するための図面であり、図７ｃに示された釣糸清掃具（１０）のＩＩ−ＩＩ線に沿って切断した断面図を示す。
【００５５】
釣糸清掃具（１０）の釣糸（４０）を挟む範囲である清掃部（１２）で、第１本体（１１０）は、第２本体（１２０）に向かって突出した凸状を有し、第２本体（１２０）は相補的な凹状を有し得る。図６ａを参照すると、第１本体（１１０）を上側から見ると、凸形状であるが、第１本体（１１０）を下側から見ると、凹形状に見え得る。図６ｂを参照すると、第１清掃部（１１０Ｂ）は、第１清掃部（１１０Ｂ）の長さ方向（ＬＤ１）に沿って形成され、第２清掃部（１２０Ｂ）に向かって突出した凸状を有し、第２清掃部（１２０Ｂ）は、第２清掃部（１２０Ｂ）の長さ方向（ＬＤ２）に沿って形成され、第１清掃部の凸状に相補的な凹状を有し得る。
【００５６】
凸状をなす第１本体（１１０）の上側面（１１１Ｂ）と、上記上側面（１１１Ｂ）と向き合って凹状をなす第２本体（１２０）の下側面（１２１Ｂ）には、交互に配列される筋状の突起（１１４、１２４）が形成され得る。第１清掃部（１１０Ｂ）は、第１清掃部（１１０Ｂ）の上側面（１１１Ｂ）から突出した少なくとも１つの第１突起（１１４）を有し、第２清掃部（１２０Ｂ）は、第２清掃部（１２０Ｂ）の下側面（１２１Ｂ）から突出した少なくとも１つの第２突起（１２４）を有し得る。また、第１清掃部（１１０Ｂ）及び第２清掃部（１２０Ｂ）の断面方向で、第１突起（１１４）及び第２突起（１２４）は、第１清掃部及び第２清掃部の幅方向（ＷＤ）に沿って互いに交互に配置され得る。従って、清掃用織物が清掃部（１２）に介在した後には、清掃用織物は清掃部（１２）から脱落しないように固定され得る。
【００５７】
図１０ａ〜１０ｄは、本開示の一実施例による釣糸清掃具（１０）と清掃用織物（３０）を釣竿（２０）に結合する過程を説明するための図面である。
【００５８】
釣糸（４０）を清掃するために釣糸清掃具（１０）と共に市販されていながらも、入手し易い清掃用織物（３０）が用いられる。清掃用織物（３０）は、釣り人が困難なく交換ができ、常に清潔が保たれる。釣糸清掃具（１０）の取付も回動軸（１１５）を中心に第１本体（１１０）を第２本体（１２０）に対して畳むだけの簡単な構造なので、清掃用織物（３０）の交換は容易かつ便利である。
【００５９】
図１０ａを参照すると、通常の釣りの終了状態のように、釣竿（２０）と釣糸（４０）が配置されている。この後に、図１０ｂを参照すると、清掃用織物（３０）を釣竿（２０）と共に釣糸（４０）を覆うように設けられる。据付部分（３１）は釣竿（２０）を覆い、清掃部分（３２）は釣糸（４０）を覆い得る。清掃用織物（３０）を覆う方法は自由であり、制限はない。
【００６０】
図１０ｃを参照すると、釣り人は、第１本体（１１０）のロッキング突起（１１８）を第２本体（１２０）の開口（１２８）に連結させ得る。釣り人は片手の指で第１本体（１１０）と第２本体（１２０）を閉じればよいので、簡単な操作で釣糸清掃具（１０）を閉じることができる。
【００６１】
図１０ｄを参照すると、釣糸清掃具（１０）で釣糸（４０）を清掃できる範囲である清掃部（１２）は、釣竿（２０）の下端から結合部（１１）までと広範囲に形成され得る。従って、様々な釣糸ガイド（５０）の高さに対応をでき、第１本体（１１０）と第２本体（１２０）は、ロッキング突起（１１８）と開口（１２８）に連結されているので、釣糸が釣糸清掃具（１０）から脱落することはない。
【００６２】
図１１は、本開示の一実施例による釣糸清掃具（１０）が釣竿（２０）に対して回転する過程を説明するための図面である。一点鎖線で示された釣糸（４０）は、張力がかかっていない状態を示し、実線で示された釣糸（４０）は、張力がかかっている状態を示す。また、一点鎖線で示された釣糸清掃具（１０）及び清掃用織物（３０）は、釣糸（４０）により回動される前の状態を示し、実線で示された釣糸清掃具（１０）及び清掃用織物（３０）は、釣糸（４０）により回動された後の状態を示す。
【００６３】
釣糸清掃具（１０）は、清掃用織物（３０）と共に釣竿（２０）の軸方向の周囲に回転可能に間隙を有するようにして釣竿（２０）に掛けておく構成を有し得る。釣糸（４０）が第１清掃部（１１０Ｂ）及び第２清掃部（１２０Ｂ）の間に位置した状態で、第１本体（１１０）及び第２本体（１２０）が締結された状態の釣糸清掃具（１０）は、釣糸（４０）が釣竿（２０）を中心とする矢印方向（ＡＲ４）への回動移動により釣竿（２０）に対して回動可能に構成され得る。
【００６４】
従って、釣竿（２０）の上側に取り付ける両軸リール（７０）の場合には（図２参照）、釣糸を矢印方向（ＡＲ３）にリール（７０）に回収する際の釣糸（４０）の張力により、釣糸清掃具（１０）は自在にリール取付方向の上側に回転するようになる。これにより、釣り人は釣糸清掃具（１０）の取付方向を気にすることなく、釣り人は状況に応じて釣糸清掃具（１０）を取り付ける方向を調節しなければならない煩わしさを感じないようになる。
【００６５】
図１２ａは、本開示の一実施例による釣糸清掃具の幅と清掃用織物の幅を比較して説明するための図面である。
【００６６】
清掃用織物（３０）の据付部分（３１）は釣竿（２０）を覆い、釣竿（２０）の長さ方向（ＬＤ）で釣糸清掃具（１０）は清掃用織物（３０）より狭い幅を有し得る。図４及び５を参照すると、釣竿（２０）の長さ方向（ＬＤ）に沿った第１結合部（１１０Ａ）及び第２結合部（１２０Ａ）のそれぞれの幅は、清掃用織物（３０）の幅より小さくなるように形成され得る。従って、釣糸清掃具（１０）は、釣竿（２０）及び釣糸ガイド（５０）に接触することがなく、釣竿（２０）及び釣糸ガイド（５０）を傷付けることはない。
【００６７】
釣糸清掃具（１０）は、釣竿に取り付けた時の釣竿（２０）の長さ方向（ＬＤ）に沿った幅寸法（即ち、結合部（１１）の幅）Ｌ１が１０〜２０ｍｍの範囲となり得る。清掃用織物を畳んだ状態を考慮し、上記範囲ならば、釣竿（２０）の長さ方向（ＬＤ）において、釣糸清掃具（１０）は、一般的な清掃用織物（３０）より狭い幅を有するようになるので、釣糸ガイドを傷付けることはない。
【００６８】
図１２ｂは、図１２ａでＩＩＩ−ＩＩＩ線に沿って釣竿と釣糸を切断して、構成を示した図面である。
【００６９】
釣糸清掃具（１０）の結合部（１１）は、略四角状の空間（１３）を形成し得る。第１結合部（１１０Ａ）は、清掃用織物（３０）の据付部分（３１）の第１地点（Ｐ１）と接触し、第２結合部（１２０Ａ）は、第１地点（Ｐ１）の反対側である据付部分（３１）の第２地点（Ｐ２）と接触し、第１、第２結合部（１１０Ａ、１２０Ａ）が据付部分と２つ地点（Ｐ１、Ｐ２）でのみ接触するように形成され得る。
【００７０】
上述した通り、釣糸清掃具（１０）と清掃用織物（３０）は、２つの地点で接触するという点を記載しているが、これに制限されるわけではなく、状況に応じて接触地点が２つ以上に増加し得る。釣竿（２０）の直径が結合部（１１）が形成する空間より相当小さい場合に、釣糸清掃具（１０）の荷重によって清掃部（１２）が地面に向かって垂れ下がるようになり接触地点が２つになり得る。もし、釣竿（２０）の直径が結合部（１１）が形成する空間（１３）がいっぱいになる程度のサイズを有せば、結合部（１１）と据付部分（３１）の接触地点が４つになり得る。一方、以下の図１５で示された通り、結合部（１１）が多角形で構成される場合には、接触地点が４つ以上になることもある。
【００７１】
このように、結合部（１１）が形成する略四角状の空間（１３）は、清掃用織物（３０）と共に釣竿（２０）を収容し、結合部（１１）が清掃用織物（３０）の据付部分（３１）と部分的にのみ接触し、接触しない部分には、間隙（１３Ａ）が形成されるため、釣糸（４０）を清掃しようとリールで釣糸（４０）を巻き取る際に、釣糸清掃具（１０）が釣竿（２０）の軸方向にグラつくことを抑えると共に、軸方向の周囲への回動を可能にすることができる。
【００７２】
図１１を参照すると、清掃用織物（３０）の据付部分（３１）が２つの釣糸ガイド（５０）の間に配置され、釣糸清掃具（１０）は、据付部分（３１）に設けられるため、釣糸清掃具（１０）が釣竿（２０）の軸方向にグラつくことが抑えられる。即ち、図１１のように示された状況で釣糸清掃具（１０）が軸方向にグラついても、据付部分（３１）が釣糸ガイド（５０）とぶつかるようになって釣糸清掃具（１０）の軸方向移動が規制され得る。
【００７３】
即ち、釣糸清掃具（１０）は、清掃用織物（３０）と共に釣竿（２０）に堅固に固定されるのではなく、適当な水準の圧力で釣竿（２０）に掛かる状態であるため、釣竿（２０）の軸方向の周囲に回転可能である。
【００７４】
図１２ｃは、図１２ａでＩＶ−ＩＶ線に沿って切断した構成を示した断面図であり、釣糸（４０）を清掃する範囲である清掃部（１２）の断面及び清掃用織物（３０）の清掃部分（３２）の断面を示す。
【００７５】
図１２ｃは、釣糸清掃具（１０）の第１本体（１１０）と第２本体（１２０）を連結させて閉じた状態で、釣糸（４０）と清掃用織物（３０）を嵌めた状態を示す。第１本体（１１０）の凸状と第２本体（１２０）の凹状に形成された交互に配列される筋状の突起（１１４、１２４）は、清掃用織物に食い込むようになるので、清掃用織物（３０）が離脱しないように清掃用織物を固定できる。
【００７６】
図１３ａ〜図１３ｄは、本開示の一実施例による釣糸清掃具の付着物（ＡＴ）除去性能を確認する実験に関する写真である。図１３ａは、スライド試験機の様子を示す。図１３ｂは、スライド試験機でテストした後の清掃用織物（３０）の様子を示す。図１３ｃ及び図１３ｄは、スライド試験機で試験する前と後の（即ち、付着物が本開示の一実施例による釣糸清掃具により除去される前と後の）釣糸（４０）を拡大して観察した様子を示す。
【００７７】
図１３ａを参照すると、スライド試験機で本開示の一実施例による釣糸清掃具（１０）を用いて釣糸（４０）の付着物（ＡＴ）除去性能を確認する。試験条件は、下記の通りである。
【００７８】
・清掃用織物（３０）：市販のウェットティッシュ
・釣糸（４０）：ＰＥ８１ｂ
・付着物（ＡＴ）：泥水（水１００％＋半磁器土１％）水槽の中に釣糸を通過させる
・釣糸通過速度：５００ｍｍ／秒
・釣糸通過距離：５０００ｍ
【００７９】
試験の結果、本開示の一実施例による釣糸清掃具（１０）によると、清掃用織物（３０）が釣糸清掃具（１０）から離脱したりずれることなく釣糸ガイド（５０）に損傷を与えることは発生しなかった。清掃用織物（３０）と釣糸（４０）が損傷する問題も発生しなかった。図１３ｂを参照すると、試験後、清掃用織物（３０）に付着物（ＡＴ）がついていることを観察でき、釣糸（４０）についていた付着物（ＡＴ）が除去されたことを確認することができる。図１３ｃと図１３ｄを比較すると、図１３ｄで付着物（ＡＴ）が除去されていることを確認することができる。
【００８０】
図１４及び１５は、本開示の一実施例による他の形状の結合部を有する釣糸清掃具（１０Ａ、１０Ｂ）を説明するための図面である。上述した実施例で説明した内容と重複した説明は省略する。
【００８１】
図１４を参照すると、釣糸清掃具（１０Ａ）は、結合部（１１Ａ）と清掃部（１２）に区分され得、第１及び第２本体（１１０、１２０）を含み得る。第１結合部（１３０Ａ）は、一側に凸になった楕円形状を有し、第２結合部（１４０Ａ）は、他側に凸に形成された楕円形状を有することができる。第１及び第２本体（１１０、１２０）が互いに結合した状態で、第１及び第２結合部（１３０Ａ、１４０Ａ）が形成する楕円形空間（１４Ａ）の長軸は、清掃部（１２）の長さ方向（ＬＤ）と並び得る。
【００８２】
結合部（１１Ａ）が形成する楕円形空間（１４Ａ）は、図１〜図１３を通じて説明した実施例と同様に清掃用織物（３０）と共に釣竿（２０）を収容し、結合部（１１Ａ）が清掃用織物（３０）の据付部分（３１）と部分的にのみ接触し、接触しない部分には、間隙が形成されるようにすることができる。このため、釣糸（４０）を清掃しようとリールで釣糸（４０）を巻き取る際に、釣糸清掃具（１０）が釣竿（２０）の軸方向にグラつくことを抑えると共に、軸方向の周囲への回動を可能にすることができる。
【００８３】
図１５を参照すると、釣糸清掃具（１０Ｂ）は、結合部（１１Ｂ）と清掃部（１２）に区分され得、第１及び第２本体（１１０、１２０）を含み得る。第１結合部（１５０Ｂ）は、長さ方向と並んだ第１中心部分（１５１Ｂ）及び第１中心部分（１５１Ｂ）から両側に傾斜した２つの傾斜部分（１５２Ｂ）を含み得る。第２結合部（１６０Ｂ）は、長さ方向と並んだ第２中心部分（１６１Ｂ）及び第２中心部分（１６１Ｂ）から両側に傾斜した２つの傾斜部分（１６２Ｂ）を含み得る。
【００８４】
図１２ｂを参照すると、本開示の釣糸清掃具は、円筒状の釣竿に対して清掃用織物（３０）の据付部分（３１）と２つの地点で部分的に接触できるように、回動軸（１１５）側の略四角状をなす２つの傾斜した部分を含む。上記２つの傾斜した部分は、回動軸（１１５）に向かって閉合されるように傾斜して設けられていればよく、結合部は、図１４又は図１５に提示したような形状を有していてもよい。例えば、図１４は、結合部（１１Ａ）が楕円形形状を有する様子を示し、図１５は、結合部（１１Ｂ）が多角形状（例、六角形状）を有する様子を示す。
【００８５】
一方、結合部の形状は、図１４及び図１５に示された形状に制限されるわけではなく、結合部が上記２つの傾斜した部分を有して釣竿と結合部との間に所定の間隙を形成できる形状にされていれば、いかなる形状も可能である。
【００８６】
本開示の一実施例による釣糸清掃具で、釣竿を掛ける部位に所定間隙を形成できる形状になされた結合部は、清掃用織物と共に釣竿に対して２点で部分的に接触するので、釣糸を清掃しようとリールで釣糸を巻き取る際に、釣糸清掃具が釣竿軸方向にグラつくことを抑えると共に、軸方向の周囲への回動を可能にすることができる。
【００８７】
以上、一部実施例と添付された図面に示された例によって本開示の技術的思想が説明されたが、本開示が属する技術分野で通常の知識を有する者が理解することができる本開示の技術的思想及び範囲を逸脱しない範囲で様々な置換、変形及び変更がなされるという点を理解しなければならない。また、そのような置換、変形及び変更は添付の請求の範囲内に属すると考えられなければならない。
【符号の説明】
【００８８】
１０，１０Ａ，１０Ｂ  釣糸清掃具、１１，１１Ａ，１１Ｂ  結合部、１２  清掃部、２０  釣竿、３０  清掃用織物、４０  釣糸、５０  釣糸ガイド、６０  スピニングリール、７０  両軸リール。
【要約】
【課題】一実施例による釣竿に釣糸を清掃するための清掃用織物が掛かった状態で清掃用織物の外側に設けられる釣糸清掃具が提供される。
【解決手段】釣糸清掃具は、第１結合部及び第１結合部から延びた第１清掃部を含む第１本体及び第１結合部に回動可能に連結された第２結合部及び第２結合部から延びた第２清掃部を含む第２本体を含む。第１結合部及び第２結合部は、釣竿及び釣竿を取り囲んだ清掃用織物の据付部分を収容するようにそれぞれ曲がった形状を有し、第１清掃部及び第２清掃部が互いに密着した状態で、第１結合部及び第２結合部の内側面と据付部分の外側面との間には、所定の空間が形成される。第１清掃部及び第２清掃部の間に位置した状態で、第１本体及び第２本体は、釣糸が釣竿を中心とする回動移動により釣竿に対して回動可能に構成され得る。
【選択図】図４【図１】
0006832600.tif 000002
【図２】
0006832600.tif 000003
【図３】
0006832600.tif 000004
【図４】
0006832600.tif 000005
【図５】
0006832600.tif 000006
【図６ａ】
0006832600.tif 000007
【図６ｂ】
0006832600.tif 000008
【図７ａ】
0006832600.tif 000009
【図７ｂ】
0006832600.tif 000010
【図７ｃ】
0006832600.tif 000011
【図７ｄ】
0006832600.tif 000012
【図７ｅ】
0006832600.tif 000013
【図８】
0006832600.tif 000014
【図９】
0006832600.tif 000015
【図１０ａ】
0006832600.tif 000016
【図１０ｂ】
0006832600.tif 000017
【図１０ｃ】
0006832600.tif 000018
【図１０ｄ】
0006832600.tif 000019
【図１１】
0006832600.tif 000020
【図１２ａ】
0006832600.tif 000021
【図１２ｂ】
0006832600.tif 000022
【図１２ｃ】
0006832600.tif 000023
【図１３ａ】
0006832600.tif 000024
【図１３ｂ】
0006832600.tif 000025
【図１３ｃ】
0006832600.tif 000026
【図１３ｄ】
0006832600.tif 000027
【図１４】
0006832600.tif 000028
【図１５】
0006832600.tif 000029